(57)【特許請求の範囲】
【請求項１】
操作ブロック体とこれの後方側に連結された接点ブロック体とからなり、前記操作ブロック体の操作摘み部の回転操作により、この操作摘み部と一体に回転するカム部材のカム面により操作プレートを後方側に押動して、前記接点ブロック体のスイッチ回路を切り換え作動させるようになったセレクタスイッチであって、
前記操作ブロック体は、筒状の操作部本体と、回転操作部材とを含み、
前記操作部本体はパネルに取付けるためのベゼル部を有し、
前記回転操作部材は、偏平な板状の外形を有する前記操作摘み部と、その後方側に一体に形成された円筒状の操作筒体部とを有し、
前記操作摘み部と前記操作筒体部との間にパッキンを有し、
前記操作摘み部の前面には、回転操作方向の指示部が一体に形成されているととにも、
前記操作筒体部には、前記操作部本体に回転自在に係合保持され、且つ前記カム部材に対し一体回転するよう係合する突起が外方に向け一体に形成されていることを特徴とする、セレクタスイッチ。
【発明の詳細な説明】
【０００１】
【産業上の利用分野】
本発明は、操作ブロック体の操作摘み部を回転操作することにより、操作ブロック体の後方に連結された接点ブロック体のスイッチ回路を切り換え作動させるようになったセレクタスイッチに関するものである。
【０００２】
【従来の技術】
この種の従来の一般的なセレクタスイッチは、図２に示すような構成になっている。同図（ａ）は正面図、同図（ｂ）は縦断面図、同図（ｃ）は横断面図をそれぞれ示す。
このセレクタスイッチは、操作ブロック体１とこれの後方側に連結される接点ブロック体２とから構成されている。操作ブロック体１の操作部本体６からは、偏平な矩形板状の外形を有する操作摘み３が前方に突出されており、この操作摘み３を、図示の定常位置から例えば左右いずれかの方向に回転操作すると、この操作摘み３に円筒形の操作筒体４を介在して連結されている円筒形状のカム部材５が操作摘み３と一体に回転する。このカム部材５の上部には、テーパー状の複数個のカム面５ａが径外方向に突出状態で外周面に沿って形成されているとともに、操作部本体６内に軸心に対し軸対称に配置されて前後方向に移動自在に保持されている一対の操作プレート７ａ，７ｂの上端面がカム面５ａに押し付けられている。したがって、操作摘み３を回転させると、カム面５ａは対応する操作プレート７ａまたは７ｂをその上端面に摺接しながら下方に押し下げ、この押し下げられた操作プレート７ａまたは７ｂは、その下端面により接点ブロック体２の可動接触子（図示せず）を押圧してスイッチ回路を切り換えるようになっている。
【０００３】
操作筒体４には、前側の円筒部４ａの内周面から径内方向に延びる複数個の係止片４ｂが一定間隔で内周面に沿い形成されているとともに、操作摘み３には、その後部に複数個の係合片３ａが前記各係止片４ｂ間に嵌入する間隔で環状に配設されている。したがって、ユーザーにおいて、各係合片３ａと係止片４ｂとの相対位置を任意に選択することにより、操作摘み３を操作筒体４との相対位置を変えて所望の角度で取り付けできるようになっている。このとき、操作摘み３に軸心に対し軸対称に形成された一対の係止爪３ｂが、操作筒体４の円筒部４ａの先端外周に沿って形成された係合鍔部４ｃに係合して、操作摘み３が操作筒体４に対し抜け止めされる。但し、この取付状態では、係止爪３ｂが係合鍔部４ｃから抜脱する危惧があり、回転操作によりスイッチ回路を切り換えるセレクタスイッチとしての条件を満足できないことになる。
【０００４】
そこで、略コ字形状の方向指示キャップ８の両端部を、（ｂ）に示すように、操作摘み３の挿入孔３ｃにそれぞれ挿入することにより、各係合爪３ｂを内方に付勢して操作筒体４の係合鍔部４ｃに押し付けている。この方向指示キャップ８は、自体の爪片８ａが操作摘み３の突起３ｃに係合して抜け止めされる。この方向指示キャップ８は、上述のように操作摘み３をがたつきなく固定する機能の他に、操作摘み３とは異なる色、例えば操作摘み３が黒色である場合に白色に着色されて操作摘み３の操作位置を表示する本来の機能を備えている。
【０００５】
【発明が解決しようとする課題】
上記セレクタスイッチは、操作ブロック体１における回転操作機構が操作摘み３、操作筒体４および方向指示キャップ８の三部品で構成されており、これらが互いに嵌め込み手段により連結されて組み立てられている。そのため、部品点数および組立工数が多いことと、金型費も高くつくことから、相当なコスト高を招いている。しかも、操作摘み３、操作筒体４および方向指示キャップ８は、互いに嵌め込み手段で相互に連結されているため、長期間にわたり頻繁に使用されると、相互間にがたつきが生じることがある。
【０００６】
ところで、上記セレクタスイッチは、押釦スイッチなどの他の種類のスイッチ類と共に同一の取付パネルに取り付けられることが多い。その取り付けは、図２（ｂ），（ｃ）に示すように、操作ブロック体１を取付パネル１１の取付孔に挿通させ、操作部本体６のベゼル部６ａの後部面をワッシャ９を介在させて取付パネル１１に押し当て、操作部本体６に螺合されているロックナット９を締め付けて、このロックナット９とベゼル部６ａとにより操作パネル１１を挟み付ける手順で取付パネル１１に取り付けられる。ところが、取付パネル１１の前方側に露出状態で取り付けられる操作部本体６のベゼル部６ａは、操作筒体４と操作摘み３とを相互に連結するための係止片４ｂおよび係合片３ａを収容する必要から必然的にその高さＤが比較的大きなものとなる。また、操作摘み３は、良好な回転操作性を確保するために一定の高さを必要とする。したがって、取付パネル１１に取り付けられたセレクタスイッチは、取付パネル１１から前方への突出長が他のスイッチに比較して大きくなり、高さが不揃いとなって体裁の悪いものとなるだけでなく、取付パネル１１からの突出長が大きいために、作業員の身体の一部等の何らかの物体が操作摘み３に触れたときに、操作摘み３が回転して誤操作されてしまうトラブルが発生するおそれがある。また、取付パネル１１に単一のセレクタスイッチのみを取り付けて使用する場合、取付パネル１１より突出する部分が大きく、それ自体が体裁的に調和が難しく、さらに，安全性においても問題が生じるおそれがある。
【０００７】
そこで本発明は、大幅なコストダウンを達成でき、取付パネルに取り付けたときの操作側への突出長が小さい外形を有するとともに、長期間の使用に際しても高い信頼性を維持できるセレクタスイッチを提供することを目的とするものである。
【０００８】
【課題を解決するための手段】
上記目的を達成するために、本発明に係るセレクタスイッチは、操作ブロック体とこれの後方側に連結された接点ブロック体とからなり、前記操作ブロック体の操作摘み部の回転操作により、この操作摘み部と一体に回転するカム部材のカム面により操作プレートを後方側に押動して、前記接点ブロック体のスイッチ回路を切り換え作動させるようになったセレクタスイッチであって、前記操作ブロック体は、筒状の操作部本体と、回転操作部材とを含み、前記操作部本体はパネルに取付けるためのベゼル部を有し、前記回転操作部材は、偏平な板状の外形を有する前記操作摘み部と、その後方側に一体に形成された円筒状の操作筒体部とを有し、前記操作摘み部と前記操作筒体部との間にパッキンを有し、前記操作摘み部の前面には、回転操作方向の指示部が一体に形成されているととにも、前記操作筒体部には、前記操作部本体に回転自在に係合保持され、且つ前記カム部材に対し一体回転するよう係合する突起が外方に向け一体に形成されている。
【０００９】
【作用】
操作摘み部をひねり操作して回転操作部材を回転させると、この回転操作部材の操作筒体部の突起に係合しているカム部材が一体に回転する。このカム部材のカム面が操作プレートの上端面に摺動しながら操作プレートを後方に押動させる。この操作プレートの下端押圧面が接点ブロック体の可動接触子を押圧し、可動接触子の可動接点が固定接点に対し接離してスイッチ回路がオン、オフ作動される。このスイッチ回路の作動状況は、操作摘み部の前面に設けられた指示部により表示される。
【００１０】
上記回転操作部材は、既存のセレクタスイッチにおける操作摘み、方向指示キャップおよび操作筒体にそれぞれ相当する操作摘み部、指示部および操作筒体部が一体形成されているため、部品点数および組立工数が共に低減して大幅なコストダウンを達成でき、さらに、一体成形であることから接合部が不必要であり、回転操作部材からなるハンドルのデザインに関して自由度がたかたくなる。また、操作摘み部は良好な回転操作性を確保するために既存のものと同じ高さに設定しても、操作筒体部は既存のセレクタスイッチのような嵌め込み機構が不要であって軸心方向の長さを可及的に短くできる。それに伴って、操作部本体のベゼル部は、操作筒体部の長さに応じた格段に高さの低い形状とすることができる。そのため、このセレクタスイッチを取付パネルに取り付けた時のパネル面からの突出長は、押釦スイッチ等の他のスイッチと略同じとなり、体裁の良いスイッチパネルを構成できるとともに、操作摘み部に何らかの物体が接触することによる誤動作の発生が極めて低くなる。しかも、回転操作部材は一体物であって嵌合や係合の部分が無いため、長期使用に際しても、劣化によるがたつきなどが生じることがなく、高い信頼性を維持できる。また、セレクタスイッチの単体使用においても、突出する部分が減少するため、全体的に調和性が高くなる。
【００１１】
【実施例】
以下、本発明の好適な実施例について図面を参照しながら詳述する。
図１は本発明の一実施例に係るセレクタスイッチを示し、同図（ａ）は正面図、  同（ｂ）は縦断面図、同（ｃ）は横断面図である。
これらの図において、説明を簡略化して理解を容易にするために，図１と同一若しくは同等のものには同一の符号を付してある。
【００１２】
操作ブロック体１の略円筒形状となった操作部本体６の前方側には、回転操作部材１２が回転自在に保持されている。この回転操作部材１２は、操作摘み部１３、操作筒体部１４および指示部１５が合成樹脂により一体成形されている。操作摘み部１３は、偏平な矩形板状の外形を有しており、図１における回転摘み３と方向指示キャップとを合体したと略同様の形状となっている。指示部１５は、操作摘み部１３の前面における半分の中央部が僅かに膨出され、且つこの膨出した部分にホットスタンプ手段等により操作摘み部１３とは異なる例えば白色に着色されてなり、操作摘み部１３の回転操作方向を指示する。操作筒体部１４は、略円筒形状であって、図２に示し従来スイッチの操作筒体４における円筒部４ａおよび各係止片４ｂを除去した形状と略同様の形状を有し、操作摘み部１３の後方に連設されている。
【００１３】
上記操作筒体部１４には、（ｂ）に示すように、外面から径外方向に突出する一対の突起１６が軸心に対し軸対称に形成されているとともに、この各突起１６に近接する後方箇所にそれぞれ切欠き１７が形成されている。さらに、操作筒体部１４には、（ｃ）に示すように、外面における両突起１６に対しそれぞれ９０°の角度だけ異なる二箇所に係止凹部１８が形成されている。また、操作摘み部１３と操作筒体部１４との間には、外鍔状の大径の蓋体フランジ部１９および小径の支持フランジ部２０が形成されていて、この両フランジ部１９，２０の間には、防水用および防塵用のパッキン２１が嵌め込まれている。
【００１４】
上記回転操作部材１２は、操作部本体６に前方側開口部から挿入されるとともに、操作部本体６の支持フランジ部６ｃに軸心に対し対称箇所に形成された一対の切欠き（図示せず）に突起１６を挿通させたのちに回転されることにより、支持フランジ部２０と突起１６とがフランジ部６ｃに対し両側から摺接して抜け止め状態で操作部本体６に回転自在に保持されている。
【００１５】
円筒形のカム部材５は、操作部本体６に対し後方側開口部から挿入されるとともに、その先端部に形成された一対の係合切欠き（図示せず）を操作筒体部１４の各突起１６に嵌入させて回転操作部材１２に一体回転するよう連結されているとともに、（ｃ）に示すように、一対の係合爪部５ｂが操作筒体部１４の係止凹部１８に係入されて抜け止めされている。
【００１６】
さらに、一対の操作プレート７ａ，７ｂは、操作部本体６に対し後方側開口部から挿入されて上端のカムフォロワ面をカム部材５のカム面５ａに当てがわれている。操作部本体６の後方側開口端部には底板部２２が嵌着されており、操作プレート７ａ，７ｂは、（ｃ）に示すように、底板部２２に軸対称に形成された一対の挿通孔２２ａに挿通されて操作ブロック体１の後部から出入自在になっている。カム部材５と底板部２２との間には、（ｂ）に示すように、一対のノッチ板２３が介在されているとともに、このノッチ板２３が、ノッチばね２４によりカム部材５の下端面に形成されたノッチ用カム面に押し付けられている。
【００１７】
本発明の回転操作部材１２を除く他の構成は、図１と図２との比較から明らかなように、既存のセレクタスイッチと略同様になっている。但し、操作部本体６のベゼル部６ｂは、図２に示す従来のベゼル部６ａと比較して格段に高さｄが低い形状になっている。すなわち、従来のセレクタスイッチでは、別体の操作摘み３と操作筒体４とを相互に連結するための係合片３ａおよび係止片４ｂからなる嵌め込み機構を設けおり、さらに、操作部本体６に摺接するための操作筒体４の支持フランジ部４ｄを上記嵌め込み機構の後方側に形成しなければならないため、ベゼル部６ａが嵌め込み機構を収容できる大きな高さＤを有する形状になっている。これに対し本発明のセレクタスイッチでは、操作筒体部１４と操作摘み部１３とが一体形成されていることから既存のセレクタスイッチのような嵌め込み機構が不要であり、この嵌め込み機構を除去した分だけ操作ブロック体１の軸心方向の長さを短くできる。したがって、操作部本体６のベゼル部６ｂは、操作筒体部１４の長さに応じて格段に高さの低い形状になっている。
【００１８】
また、操作摘み部１３は良好な回転操作性を確保するために既存の操作摘み３と同じ高さに設定されているが、このセレクタスイッチを取付パネル１１に取り付けた時のパネル面からの突出長は、操作部本体６のベゼル部６ｂの高さｄが低いことから、押釦スイッチ等の他のスイッチと略同じとなり、このセレクタスイッチの単体使用および他の押釦スイッチ等との集合使用の何れの場合においても体裁の良いスイッチパネルを構成することができるだけでなく、操作摘み部１３に何らかの物体が接触して誤動作される確率は格段に低くなる。
【００１９】
さらに、回転操作部材１２は一体物であって嵌合や係合の部分が無いため、長期使用に際しても、劣化によるがたつき、抜脱または回転不良といった不都合が殆ど生じることがなく、高い信頼性を維持できる。上記回転操作部材１２は、既存のセレクタスイッチにおける操作摘み３、方向指示キャップ８および操作筒体４にそれぞれ相当する操作摘み部１３、指示部１５および操作筒体部１４が一体形成されているため、部品点数、組立工数および金型費が共に低減して大幅なコストダウンを達成できる。
【００２０】
なお、図２に示したセレクタスイッチのように操作摘み部１３の定常時の取付角度を任意を変更することはできないが、この取付角度が固定であっても支障が無いか、或いは取付角度を変更する必要が無い場合が多く、そのような用途に用いることにより、上述の種々の顕著な効果を得られる。
【００２１】
【発明の効果】
以上のように本発明のセレクタスイッチによると、操作摘み部、指示部および操作筒体部が一体形成された回転操作部材を備えているため、部品点数、組立工数および金型費が共に低減して大幅なコストダウンを達成でき、従来のセレクタスイッチにおける操作摘みと操作筒体とを連結するための嵌め込み機構が不要になるため、操作部本体のベゼル部を高さの低い形状とすることができ、取付パネルに取り付けた時のパネル面からの突出長が押釦スイッチ等の他のスイッチと略同じとなり、当該スイッチを単体で使用時および押釦スイッチ等との集合使用時の何れの場合においても体裁の良いスイッチパネルを構成できるとともに、操作摘み部に何らかの物体が接触することによる誤動作の発生が殆どなくなる。しかも、回転操作部材は一体物であって嵌合や係合の部分が無いため、操作摘み部の抜脱方向や回転方向の強度が格段に向上し、長期使用に際しても、劣化によるがたつきなどが生じることがなく、高い信頼性を維持できる。
【図面の簡単な説明】
【図１】本発明の一実施例に係るセレクタスイッチを示し、（ａ）は正面図、（ｂ）は縦断面図、（ｃ）は横断面図である。
【図２】従来のセレクタスイッチを示し、（ａ）は正面図、（ｂ）は縦断面図、（ｃ）は横断面図である。
【符号の説明】
１  操作ブロック体
２  接点ブロック体
５  カム部材
５ａ  カム面
６  操作部本体
７ａ，７ｂ  操作プレート
１３  操作摘み部
１４  操作筒体部
１２  回転操作部材
１５  指示部
１６  突起
【図１】
0003754713.tif 000002
【図２】
0003754713.tif 000003